(57)【要約】  本発明は、押し出しブロー成形技術を使用して太陽熱収集器／パネルおよびモジュールの独立した熱水貯蔵ユニット製造するためのプラスチック材料の使用に関する。【特許請求の範囲】
【請求項１】
太陽熱用途での使用に好適な、サイズが５ｍ２までであるモノブロック容器を得るための押し出しブロー成形技術の使用。
【請求項２】
該成形された容器が太陽熱パネルである、請求項１に記載の使用。
【請求項３】
該容器のサイズが優先的に２ｍ２〜２、５ｍ２である、請求項１または２に記載の使用。
【請求項４】
ポリプロピレン（ＰＰ）、ポリエチレン（ＰＥ）、ポリメチルペンテン（ＰＭＰ）、ポリブテン−１（ＰＢ−１）；脂肪族または芳香族ポリアミド（ＰＡ）、ポリフェニレンエーテル／ポリスチレン／ブタジエンアロイ（ＰＰＥ／ＰＳ）、ポリフェニレンエーテル／ポリフェニレンスルホンアロイ（ＰＰＥ／ＰＰＳ）、ポリフェニレンエーテル／ポリプロピレンアロイ（ＰＰＥ／ＰＰ）、ポリフェニレンエーテル／ポリアミドアロイ（ＰＰＥ／ＰＡ）等のポリフェニレンエーテルの混合物、ポリエーテルスルホン（ＰＥＳ）、ポリフェニレンスルホン（ＰＰＳ）、ポリエステル、ポリブチレンテレフタレート（ＰＢＴ）、液晶ポリエステル（ＬＣＰ）、好ましくはポリプロピレン、またはポリ乳酸（ＰＬＡ）、ポリヒドロキシアルカノエート（ＰＨＡ）、澱粉誘導体、単独でまたは任意選択的に１種または２種以上のポリオレフィンと混合した澱粉誘導体等の植物由来の材料から選択されるバイオポリマー等のポリマーから選択された材料でできていることを特徴とする、請求項１〜３のいずれか一項に記載の使用。
【請求項５】
１種または２種以上の補強フィラーおよび／または１種または２種以上の難燃剤フィラーおよび／または１種または２種以上のＵＶ安定剤または耐熱性安定化パッケージが該材料に加えられることを特徴とする、請求項４に記載の使用。
【請求項６】
該補強フィラーが、鉱物性フィラーもしくは有機フィラー、ナノ粒子、導電性フィラー、長ガラス繊維または短ガラス繊維、有機繊維、天然繊維、好ましくは天然繊維および／または有機繊維から選択される、請求項５に記載の使用。
【請求項７】
該ソーラーパネルがまた、外部連結の手段を含むことを特徴とする、請求項１〜６のいずれか一項に記載の使用。
【請求項８】
該ソーラーパネルがまた、押し出しブロー成形、有利にグレージングされ、および有利に断熱する、押し出しブロー成形によって成形された枠を含むことを特徴とする、請求項１〜７のいずれか一項に記載の使用。
【請求項９】
同時にまたは独立して、該太陽光線の１種または２種以上の吸収手段および該収集器を支持体に締め付ける１種または２種以上の手段を含むことを特徴とする、請求項１〜８のいずれか一項に記載の使用。
【請求項１０】
該容器が、１種または２種以上の準要素によって構成され、そして流体を含むカートリッジ／タンクを含む独立した熱水貯蔵ユニットであることを特徴とする、請求項１に記載の使用。
【請求項１１】
該必要な温度を維持することを温度による該相転移が確かにする流体を含む該カートリッジ／タンクが、該ソーラーパネルに接続され、または取り込まれていることを特徴とする、請求項１０に記載の使用。
【発明の詳細な説明】
【技術分野】
【０００１】
本発明は、太陽熱パネルの分野、さらに特に太陽熱用途のための構成部分、ソーラーパネルおよび熱水貯蔵ユニットの製造分野に関する。
【背景技術】
【０００２】
ソーラーパネルは、ソーラーエネルギー生産のための装置の基本的な構成部分である。
【０００３】
ソーラーパネルは、太陽光線からエネルギーの一部を電力または熱エネルギー暖房に変換できる装置の品目である。
【０００４】
太陽熱パネル、または太陽熱収集器は、高温流体、例えば空気または水の形態で回収されそして使用される熱へと変換する。
【０００５】
太陽熱パネルは、通常、平面またはパラボラであり、約１平方メートルから数平方メートル（例えば２〜６平方メートル）の範囲の表面積を有する。基準寸法は、設備を促進または最適化するために、通常規定されている。
【０００６】
２種のタイプの太陽熱パネル、すなわち、液体タイプの収集器および空気タイプの収集器がある。
「液体タイプ」のソーラー収集器中では、水または多くの場合（例えば、グリコールに基づく）熱移送流体が閉回路中の管を循環する。「空気タイプ」のソーラー収集器では、空気が循環し、そして吸収体と接触して加熱される。このように加熱された空気は次に暖房のために建物内を循環するか、または例えば生産物を乾燥させるために農業用の建物内を循環する。
【０００７】
太陽熱技術は、例えば化学品製造現場、部屋の太陽による温度調節、または海水の脱塩までもの工業設備内における例えば加熱流体など、部屋の暖房以外の用途で使用できる。
そうしたことから、太陽熱パネルは、熱移送流体（熱移送流体はタンク内に水を加熱して入れる）の循環用の少なくとも１つの回路によって通常構成されており、このように生産されたエネルギーを貯蔵することを可能にする。
【０００８】
これらのパネルは、ガラス窓、コイルまたは流体回路、箱、断熱体等の集成体に好適な様々な準要素によって通常構成されている。
そうしたソーラーパネルの様々な構成部分を組み立てると、そのコストおよび質量は著しく増加する。さらに、組み立てられた基本的な要素の数の増加は、ソーラーパネルの構造内での熱の逃げ道（ｔｈｅｒｍａｌ  ｂｒｉｄｇｅ）および／または熱勾配の発生となる場合があり、これらは、例えば集成体の変形（これはシーリングの欠陥、装置の性能に影響するであろう熱凝縮または熱損失の発生の原因となる場合がある）等の望ましくない結果を有する場合がある。
【発明の概要】
【発明が解決しようとする課題】
【０００９】
さらに、ガラス窓の使用は、特に日射量がより低い国では、太陽光線を集中させ、ソーラーパネルの効率を高めることを可能にする。他方では、ガラス窓を設置することは欠点を有する：
【００１０】
−ガラス窓は、ソーラーパネルの質量の７０％〜８０％となる場合があり、屋根の上に備え付ける間の一人での取扱いを困難にする。
【００１１】
−太陽光線が強くかつ設備が運転されていない場合（熱移送流体循環ポンプが止まるので）、劣悪な作業条件においてパネルの内側に高温点をガラス窓が生成する場合がある。この高温点は２００〜２２０℃に達する場合があり、高い熱耐性を有する構成部分の使用を必要とし、そして収集器のコストを増加させる。
【００１２】
従来技術の不利益を有さない太陽熱パネルへのニーズがある。
したがって、従来技術の公知のソーラーパネルの不利益を有さない新規な太陽熱パネルを提供できる利益があるであろう。
本発明の目的の一つは、
−完全でありかつ単一のステップで成形された、
−高い日射量を有する高温の国に好適であり、そしてガラス窓を有さない、
−既存のソリューションと比較してコストを５０％〜８０％下げることができる、
太陽熱パネルを得るための押し出しブロー成形技術の使用である。
【００１３】
さらに、既存の従来技術において、ソーラーパネルに接続された熱水貯蔵ユニット（基本的に大直径の容器／タンク）は、取り扱いおよび建物中に取り込むのが困難であるので、問題を生じる。いくつかはその場で取り付けられるかまたはその場で溶接される、予め加工された要素によって構成されている。さらに、これらは一家族の家のように小さな建物より大きい建物により好適である。
【００１４】
正しい温度に水を保つために、これらのものは、断熱の実質的な層および多くの場合電気を源とし加熱ユニットを介した、外部エネルギーの入力を使用することを必要とする。
【課題を解決するための手段】
【００１５】
非常に長い試験の後で、出願人は、成形容器、さらに具体的には太陽熱パネルおよび加熱された水のための、太陽熱用途のための使用に好適であり、従来技術のこれらの不利益を有さない貯蔵ユニットを開発した。
【００１６】
したがって本発明の目的は、太陽熱用途での使用に好適な容器を得るための押し出しブロー成形技術の使用を網羅することである。
【発明を実施するための形態】
【００１７】
本発明の第一の形態によって、成形容器は太陽熱パネルであることができる。
押し出しブロー成形技術の使用により、高温の国々に好適であり、軽く、安価であり、そして優れた技術的品質を有する、単一ステップで成形された完全なソーラーパネルを開発することが出願人にとって可能となった。
【００１８】
押し出しブロー成形技術は、瓶、フラスコ、ドラム、キャスク等の（２〜３ｃｍ３から２〜３ｍ３の）様々な容量を有する中空体を製造するのに使用されるポリマーのための成形である。
【００１９】
この押し出し成形工程は、押し出し技術とブロー成形技術とを組み合わせることからなる。押し出された原料（パリソン）の管は、次に所望の形を有する２枚貝型のブロー型内に密閉される。加圧された空気（または不活性ガス）が次に、型の内壁に対して変形可能な原料を押しつけるためにパリソンの中に吹き込まれる。ブローの後で、原料が冷却され、そして成形される部品は、したがってその最終の形で固定される。この部品は型から取り出され、そしてこの型は別の部品を生産するために使用できる。
【００２０】
この基本的な原理は、異なる技術によって改善され、この技術は全ての形状および全ての幾何学的図形で３次元の部品を製造することを可能にする。従来技術で公知の（標準の、吸引による、傾き型のまたは平面開放型の）任意の押し出し／ブロー成形技術、特に特許または特許出願である、米国特許第４、３６２、６８８号明細書（エクセル（株））、米国特許第５、７２３、８２８号明細書；欧州特許第０７０１０８３号明細書；国際公開第２０１１／０７７７１９号パンフレット（日本国特許第８０６８４９０号明細書）（エクセル（株））に記載された技術は、本技術にしたがって使用できる。
【００２１】
発明者らは、この技術を使用して太陽熱パネルを製造することが可能であることを示した。本発明により、パリソンは型内に密閉されることができ、型のその形によって（中空マトリックス（空洞）をその中に有し、熱移送流体が太陽熱パネルの入力点から出力点に循環する）ソーラーパネルを工程の出力において得ることを可能にすると理解される。
【００２２】
太陽熱パネルは、任意の必要な形、および特に規則正しいまたは不規則な平行管の形に適合できる。この技術によって生産できるソーラーパネルのサイズは、数平方メートル、特に５ｍ２まで、優先的に２ｍ２〜２．５ｍ２である。
【００２３】
金属製またはそれ以外でできた枠、管束またはコイル、ガラス窓および断熱体を含む従来の設計では、プラスチック材料の押し出しブロー成形を使用して枠を生産することができる。溶着、結合、ねじ止めまたは漏れない集成体を可能にする任意の他の技術によって次に組み立てられる、一つのまたは幾つかの押し出しブロー成形された部品で枠を作ることができる。
【００２４】
変化形態によれば、太陽熱パネルは、モノブロックであることができる。モノブロックによって、本発明ではソーラーパネルが単一の部品でできていることができることを意味する。これは、押し出しブロー成形技術によって成形された構成部分が（異なる部品を共に組み立てる必要が無いことを意味する）単一の構造を有することを意味し、この流体回路はブロー成形部分に取り込まれる。したがって究極的には、より大きな無欠陥性を有する太陽熱パネルが達成されるであろう。連結部がないことにより、ほとんど保守を必要としない。
【００２５】
本発明によれば、本発明による太陽熱パネルは、例えば成形段階の間にマスターバッチを使用して、または装飾フィルムを使用して型内装飾によって、着色して成形されることができる。本発明によるソーラーパネルは、例えば直接に黒色成形されることができ、これはブロー成形の後で塗料を塗ることを防ぐ。
【００２６】
本発明により、太陽熱パネルは、業界において通常されるポリマーから選択された１種または２種以上のポリマー：脂肪族または芳香族ポリアミド（ＰＡ）、ポリフェニレンエーテル／ポリスチレン／ブタジエンアロイ（ＰＰＥ／ＰＳ）、ポリフェニレンエーテル／ポリフェニレンスルホンアロイ（ＰＰＥ／ＰＰＳ）、ポリフェニレンエーテル／ポリプロピレンアロイ（ＰＰＥ／ＰＰ）、ポリフェニレンエーテル／ポリアミドアロイ（ＰＰＥ／ＰＡ）等のポリフェニレンエーテルの混合物、ポリエーテルスルホン（ＰＥＳ）、ポリフェニレンスルホン（ＰＰＳ）、ポリエステル、ポリブチレンテレフタレート（ＰＢＴ）、液晶ポリエステル（ＬＣＰ）、ポリプロピレン（ＰＰ）、ポリエチレン（ＰＥ）、ポリメチルペンテン（ＰＭＰ）、ポリブテン−１（ＰＢ−１）等のポリオレフィン；または押し出しによって形成されることができる任意の他のプラスチック材料を含むことができるプラスチック材料でできていることができる。好ましくは、このプラスチック材料は、ポリプロピレン（ＰＰ）、ポリエチレン（ＰＥ）、ポリメチルペンテン（ＰＭＰ）、ポリブテン−１（ＰＢ−１）等のポリオレフィンであることができ、またさらに好ましくは、例密度、コストおよびリサイクル可能性の理由からポリプロピレンであることができる。
【００２７】
本発明の特定の態様により、プラスチック材料は生物由来であることができる。生物由来プラスチック材料としては、例えばＰＬＡ（ポリ乳酸）またはＰＨＡ（ポリヒドロキシアルカノエート）のようなバイオポリマー、澱粉誘導体等の植物由来の材料等の石油以外の起源から誘導された材料でできているものを挙げることができる。
【００２８】
本発明の別の特定の態様によれば、プラスチック材料は、少なくとも１種の生物由来のプラスチック材料および上記リストからの少なくとも１種のポリオレフィンの混合物であることができる。ポリオレフィンおよび澱粉誘導体に基づくプラスチック材料の例は、ＣａｒｄｉａまたはＦｌｏｕｒｐｌａｓｔによって製造された材料である。植物由来の材料と、ポリプロピレン等のポリオレフィンまたは上記のリストから選択された他のポリマーとの混合物である場合、Ｉｇｅｔａｂｏｎｄ（商標）の商標名で住友化学から販売されているもの等の適合剤の添加を想定できる。
【００２９】
本発明の特定の態様によれば、プラスチック材料の全てまたは一部は、例えば自動車業界または他の業界の環境憲章で規定された基準に従って、リサイクルされたかまたは再生された材料を含むことができる。
【００３０】
また本発明の別の特定の態様により、１種または２種以上の任意のタイプの補強フィラーをプラスチック材料に加えることができる。これについては、例えば、鉱物性または有機フィラー、ナノ粒子、導電性フィラー、長ガラス繊維または短ガラス繊維、有機繊維および天然繊維を挙げることができる。
【００３１】
有利に、天然繊維および／または有機繊維に基づく熱可塑性材料の使用は、より軽くできた成形部品を可能にする。
成形の間または後の変形または反りのリスクを制限するために、フィラーの混合物を使用することもできる。例えば、ガラス繊維を用いると、例えばタルクまたは炭酸カルシウム等のフィラーを使用することができる。熱可塑性化合物材料は、例えばＳｕｍｉｃａ  Ｐｏｌｙｍｅｒ  Ｃｏｍｐｏｕｎｄｓにより製造されたＴｈｅｒｍｏｆｉｌ（商標）の範囲ものから選択できる。
【００３２】
本発明のまた別の形態によれば、防火性を加えるために、熱可塑性材料にハロゲンを有するかまたは有さない少なくとも１種の難燃剤フィラーを加えることができる。
【００３３】
本発明のまた別の形態によれば、ソーラーパネルの寿命の間のあらゆる劣化を予防するために強いＵＶ安定剤または高耐熱性安定化パッケージを加えることができる。
【００３４】
本発明により、この技術を使用すると、成形後に残留する変形のない非常に大きいサイズ（好ましくは平面）を含む任意のサイズのソーラーパネルの製造を可能にする。この技術により製造できるソーラーパネルのサイズは、数平方ｍ２まで、特に５ｍ２まで、優先的に２ｍ２〜２．５ｍ２のサイズまでであることができる。
【００３５】
本発明の別の利点は、本発明による太陽熱パネルの製造を可能にする方法がソーラーパネルの満足な作動に必須の形状をブロー成形の際の直接取り込むことを可能にすることであるが、一方従来技術においては、これらの形状は、その生産（屋根への取り付け、収集器に関連した連結技術）後にソーラーパネルに通常加えられる。
【００３６】
したがって、本発明による太陽熱パネルはまた、外部連結のための手段を含むことができる。外部連結手段により、太陽熱パネルを、例えば、太陽熱パネル中で加熱される流体を運ぶシステムに、または一旦加熱された流体に、流体が貯蔵されるところに、または流体が使用されるところに、のいずれかに連結することが可能であることを意味する。本発明により、これらの連結手段は、太陽熱パネルの成形工程の間、すなわち、パリソンが型内に置かれている場合かまたはその前に、太陽熱パネル内に含まれることが理解される。
【００３７】
したがって、例えば、生産段階の間に、ソーラーパネルが熱移送流体回路に接続されることを可能にするプラスチック成形部分をオーバーモールドするか、または取り付けるために、プラスチックまたは金属のインサートを型内に配置できる。
【００３８】
本発明による太陽熱パネルは別の要素なしで直接使用でき、その構成要素の原料が太陽光線から熱を吸収し、そして太陽熱パネルの内側で循環する流体に熱を戻す。
【００３９】
より大きな効率を達成するために、グリーンハウス効果を得るための断熱されたグレージングされた成形枠中に太陽熱パネルを配置できる。したがって、本発明の形態によれば、太陽熱パネルはまた、成形枠、好ましくは押し出しブロー成形によって形成され、有利にグレージングされ、そして有利に断熱する成形枠を含むことができる。
【００４０】
さらに、本発明は、ソーラーパネルが、生産される全ての形状：ソーラーパネルの性能を改善するために、全ての種類の追加の要素を容易に取り込み、球状、平面またはパラボラに生産されることを可能にする。
【００４１】
ソーラーパネルの成形の間に、オーバーモールドにより、例えば外部の締め付け手段または懸架手段等の太陽熱パネルの使用のために有用な手段を取り込むことを可能にする。これらの手段は、例えば文献欧州特許第０７０１０８３号明細書に記載された技術によってなどで、太陽熱パネルに加えることができる。
【００４２】
ソーラーパネルの成形の間に、（例えばオレフィン熱可塑性樹脂において、動的に架橋させた（ＴＰＶ）またはそうでければ例えばＥｓｐｏｌｅｘ（商標）（住友化学）またはＳａｎｔｏｐｒｅｎｅ（商標）の商標で販売されているもの等の（ＴＰＯ）等の熱可塑性エラストマーでできた、例えばガスケット）例えばエラストマーでできた、ガスケットまたはＯリング等の１種または２種以上のシーリング手段を取り込むこともできる。
【００４３】
太陽熱パネルの成形の間に、支持体、例えば、太陽熱パネルの効率を高めるために支持体の傾きを変えることができる屋根に、ソーラーパネルを取り付ける１種または２種以上の手段を取り込むことができる。例えば建物全体等のそれらの支持体に取り込まれることができる太陽熱パネルを製造することもまたできる。したがって、例えば、生産段階の間に、プラスチックまたは金属のインサートを、取り付け点、金属またはそうでないものを確保するために型内に配置でき、これは意図される建物または任意の他の支持体上にソーラーパネルが固定されることを可能にする。
【００４４】
本発明による太陽熱パネルは、有利にはグラスウールでできた断熱体を含むこともできる。使用される成形技術の低い圧力（ブロー成形の性質）は、グラスウールまたはガラス織物のような断熱材料の織地を破壊しない。
【００４５】
本発明の変形により、成形の間に、例えばロッククリップ、補強、または成形によって得ることができる任意の他の要素を加えることができる。
【００４６】
本発明の別の態様によれば、太陽熱パネルの外側の表面、独立してまたは同時に、ソーラー放射の効率的な吸収を確かにすることを目的とする材料で被覆されていることができる。この態様により、工程の間に型内に被覆されることによってフィルムを取り付けることができる。
【００４７】
本発明による太陽熱パネルの大きな利点の一つは、パネル（モノブロックパネルための完全なまたは押し出しブロー成形によって生産された枠のみを有する従来のアーキテクチャーのために部分的な）修正時間の大幅な減少、ならびに（１０〜８０％）ソーラーパネルそれ自身に取り込まれる形状による（１０〜８０％）の質量での大幅な減少にある。これらの節約は質量の減少に関連した輸送および設備の容易さを高め、その結果より低コスト、ならびに環境へのより低いＣＯ２の影響となる。
【００４８】
熱の逃げ道の発生はまた、本発明によるソーラーパネルにおいて著しく減少する。
（減少した数の構成部分または構成部分のサブアセンブリに連携した）本発明による太陽熱パネルの解体の容易性は、特に有毒物質を放出しないポリプロピレンに基づくプラスチック材料の使用を伴う、該構成部分の再生利用を促進する。
【００４９】
着色させた成形またはプラスチックまたはアルミ化したフィルムのラミネーションによりパネルを装飾することができるので、収集器の表面処理および塗料の除去に関連した環境への影響の低下はさらに有意義である。
【００５０】
最終的に、熱可塑性材料でできた部品のデザインの形状の自由度は、その環境（例えば、建物の壁または屋根の上への取り込み）へのソーラー装置の改善された一体化を可能にする。
有利に、該太陽熱パネルは、独立してまたは同時に、水回路または空気回路の１種または２種以上の支持体、１種または２種以上の補強要素、１種または２種以上の追加の断熱体、通常金属板によって構成されている、１種または２種以上の熱吸収体（該吸収体それ自身は、その性能を改善する材料で被覆されていることができる、該吸収体は水または空気回路に連結されることができる）をさらに含むことができる。
【００５１】
本発明の別の形態によれば、押し出しブロー成形の使用は、例えば本発明によるソーラーパネルにより製造された高温流体、好ましくは熱水の貯蔵のためのユニットとなることができる太陽熱用途で使用できる容器を得ることを目的とする。
【００５２】
本発明は、押し出しブロー成形によって生産された準要素によって構成され、そして必要とする温度を温度による相転移が維持することを確かにする流体を含むカートリッジを含む、モジュールの（貯蔵部位の場所および形状による）貯蔵ユニットを製造することを提案することにより従来技術の問題を改善する。
【００５３】
本発明の別の形態によれば、熱水貯蔵ユニットは、再生可能（光起電性ソーラーパネルまたは風タービン）以外のエネルギー入力なしで必要な温度に熱水を保持できることを可能にする。
【００５４】
本発明により、持続可能な方式で温度が維持されることを確かにするために、追加のエネルギーの入力は、流体を加熱するのに必要であることができる。カートリッジを光起電性ソーラーパネルに接続することを予想することができる。したがってこれは設備が非再生可能エネルギーと完全に独立することを可能にする。
【００５５】
その相転移が温度維持を確かにする流体を含む加熱カートリッジの基本技術は公知であり、そして住友化学（株）により開発され、そして建物の床下加熱のための商標ＳＵＭＩＴＨＥＲＭＡＬ（商標）で販売されている。
【００５６】
出願人は、押し出しブロー成形によって、これらのＳＵＭＩＴＨＥＲＭＡＬ（商標）カートリッジを取り込んだ異なる熱水タンクを成功裏に生産することができた。
【００５７】
エクセル（株）の上記特許に記載されたように、押し出しブロー成形技術によって熱水タンクおよびカートリッジは、共に組み立てることができまたは単一のユニットで生産できた。メインの水タンクは、相転移流体から熱水を分離しておくことができる種々の壁を含むことができる。
【００５８】
貯蔵ユニットは、所望の任意の形、および特に貯蔵に使用可能である自由空間の形を取ることができる。この技術によって製造できる貯蔵ユニットのサイズは、数立方メートルまで、例えば１〜１００立方メートルであることができる。貯蔵ユニットを共に接続することによって、大きな貯蔵体積を利用可能であり、そしてこれは本当に必要な貯蔵体積に適合できる。これはまさにモジュールの建築様式である。
【００５９】
変化形態により、貯蔵ユニットは、モノブロックであることができる。本発明ではモノブロックにより、貯蔵ユニットが単一の部品でできていることができることを意味する。
【００６０】
本発明により、本発明による貯蔵ユニットは、例えば成形段階の間にマスターバッチを使用すること、または装飾フィルムを使用したインモールド装飾によって、着色して成形されることができる。
【００６１】
本発明による、貯蔵ユニットは、業界で通常使用されているポリマー：ポリプロピレン（ＰＰ）、ポリエチレン（ＰＥ）、ポリメチルペンテン（ＰＭＰ）、ポリブテン−１（ＰＢ−１）、脂肪族アミドまたは芳香族ポリアミド（ＰＡ）、ポリフェニレンエーテル／ポリスチレン／ブタジエンアロイ（ＰＰＥ／ＰＳ）、ポリフェニレンエーテル／ポリフェニレンスルホンアロイ（ＰＰＥ／ＰＰＳ）、ポリフェニレンエーテル／ポリプロピレンアロイ（ＰＰＥ／ＰＰ）、ポリフェニレンエーテル／ポリアミドアロイ（ＰＰＥ／ＰＡ）等のポリフェニレンエーテルの混合物、ポリエーテルスルホン（ＰＥＳ）、ポリフェニレンスルホン（ＰＰＳ）、ポリエステル、ポリブチレンテレフタレート（ＰＢＴ）、液晶ポリエステル（ＬＣＰ）、または押し出しにより変形できる任意の他のプラスチック材料から選択された１種または２種以上のポリマーを含むことができるプラスチック材料でできていることができる。好ましくは、プラスチック材料は、低密度、コスト、リサイクル可能性の理由から、ポリプロピレンであることができる。
【００６２】
本発明の特定の態様により、プラスチック材料は生物由来であることができる。生物由来プラスチック材料の一例として、例えばＰＬＡ（ポリ乳酸）またはＰＨＡ（ポリヒドロキシアルカノエート）のようなバイオポリマー、（単独でまたは任意選択的にポリプロピレンの１種または２種以上のポリオレフィンまたは上記のリストの別のポリマー等と混合した）澱粉誘導体等の植物由来の材料等の石油以外に由来して誘導された材料でできているものを挙げることができる。ポリオレフィンおよび澱粉誘導体に基づくプラスチック材料の例は、ＣａｒｄｉａまたはＦｌｏｕｒｐｌａｓｔにより製造された材料である。ポリプロピレン等のポリオレフィンまたは上記のリストから選択された他のポリマーと植物由来の材料との混合物の場合、Ｉｇｅｔａｂｏｎｄ（商標）の商標名で住友化学から販売されているもの等の適合剤の添加を想定できる。
【００６３】
本発明の特定の態様により、プラスチック材料の全てまたは一部は、自動車業界または他の業界の環境憲章で規定された基準によってリサイクルされまたは再生する材料を含むことができる。
【００６４】
本発明のまた別の特定の態様により、１種または２種以上の任意のタイプの補強フィラーをこのプラスチック材料に加えることができる。この点について、例えば、鉱物フィラーまたは有機フィラー、ナノ粒子、導電性フィラー、長ガラス繊維または短ガラス繊維、有機繊維および天然繊維を挙げることができる。
【００６５】
有利に、天然繊維および／または有機繊維に基づく熱可塑性材料の使用は、成形部をより軽く作ることを可能にする。
成形中または成形後の変形または反りのリスクを制限するために、フィラーの混合物をまた使用できる。例えば、ガラス繊維を用いると、例えばタルクまたは炭酸カルシウム等のフィラーを使用することができる。
熱可塑性化合物材料は、Ｓｕｍｉｋａ  Ｐｏｌｙｍｅｒ  Ｃｏｍｐｏｕｎｄｓによって製造されたＴｈｅｒｍｏｆｉｌ（商標）の範囲のものから選択できる。
【００６６】
本発明のまた別の形態によれば、防火のために、熱可塑性材料に、少なくとも１種のハロゲンありまたはなしの難燃剤フィラーを加えることができる。
【００６７】
本発明のまた別の形態によれば、ソーラーパネルの寿命の間のなんらかの劣化を防ぐために、ＵＶ−安定剤または高い熱安定化パッケージを加えることができる。
【００６８】
本発明の別の利点は、製造される本発明による太陽熱パネルがブロー成形の際に、貯蔵ユニットの満足な作業に必須の形状を直接取り込むことを可能にする工程であるが、一方、従来技術では、これらの形状は、生産（屋根への取り付け、連結技術）の後で加えられるのが一般的である。
【００６９】
したがって、本発明による貯蔵ユニットはまた、外部連結のための手段をまた含む。
さらに、本発明は、貯蔵ユニットの性能を改善するためにあらゆる種類の追加要素を容易に取り込み、任意の、形状、球状、平面で、貯蔵ユニットを製造することを可能にする。
【００７０】
貯蔵ユニットの成形の間に、オーバーモールドにより、例えば、外部取り付け手段または懸架手段等の１種または２種以上手段を取り込むことを可能にする。
【００７１】
貯蔵ユニットの成形の間に、例えばオレフィン熱可塑性物において、例えば動的に架橋させた（ＴＰＶ）またはＥｓｐｏｌｅｘ（商標）（住友化学（株））またはＳａｎｔｏｐｒｅｎｅ（商標）の商標の下で販売されている等（ＴＰＯ）のエラストマーでできた、ガスケットまたは（貯蔵ユニット互いに連結するための）連結管等の１種または２種以上のシーリング手段を取り込むこともできる。
【００７２】
同時にまたは独立して、１種または２種以上の太陽光線の吸収手段、および例えば屋根に支持するための貯蔵ユニットの１種または２種以上の締め付け手段を取り込むことも可能にする。
【００７３】
本発明の変形により、成形の間に、例えばロッククリップ、補強材、または成形によって得ることができる任意の他の要素を加えることができる。
【００７４】
最終的に、熱可塑性材料でできた部分の設計が許す形状の自由度は、ソーラー装置のその環境への改善された取り込み（例えば、建物の壁または屋根への取り込み）を可能にするであろう。
【００７５】
本発明において使用される技術および適用できる寸法が、これらの分野において共通のデータであり、そしてそれらを実施する困難性がないであろうことを当業者は理解するであろう。
【００７６】
本発明の変形により、押し出しブロー成形によって製造され、そして（流体の温度での相転移が必要な温度を維持することを可能にする）流体を含むカートリッジ／タンクを含む準要素は、ソーラーパネルに接続され、そして／またはソーラーパネルに取り込まれることができるであろう。
【００７７】
たとえ外部温度が下がっている場合でも、この組み合わせられたシステムは、正しい温度で熱水を生産することを可能にする。
【国際調査報告】
2014531351.tif 000002
2014531351.tif 000003
2014531351.tif 000004
2014531351.tif 000005
2014531351.tif 000006
2014531351.tif 000007
2014531351.tif 000008